(57)【要約】  本発明の目的は、イオン輸送部（３）入り口、乃至は、入り口のイオン透過率を向上させて、高感度なマススペクトルを取得可能な質量分析装置を提供することである。  本発明では、上記課題を解決するため、イオン輸送部（３）入り口、乃至は、質量分析部（４）入り口に生成される、イオン損失の原因である電界歪みを軽減させるため、イオン輸送部（３）の各電極（１４ａ、ｂ）内接円半径（ｒｉ）が質量分析部（４）の各電極（１３ａ、ｂ）の内接円半径（ｒｑ）より大きくなるように配置し、また、質量分析部（４）の電極の入り口形状がテーパー形状である電極を備え、この手段により、イオン輸送部（３）入り口付近、及び、質量分析部（４）入り口付近にて、生成されていた電位ポテンシャルの急激な増減（ピーク状）分布、つまり、電極端部に生成される電界歪みが軽減されるため、イオン輸送部（３）入り口付近、及び、質量分析部（４）入り口付近のイオン透過率が大幅に向上し、高感度な質量分析が可能となる。
2015198721.tif 000002
【特許請求の範囲】
【請求項１】
特定の質量電荷比m/zを持つイオン種のみを通過させる、少なくとも４本の第１の棒状電極を含む質量分析部と、
前記第１の棒状電極に印加する電圧を調整・制御する制御する制御部と、
第１の棒状電極を通過したイオンを検出する検出部と、を備えた、質量分析装置において、
第１の棒状電極の少なくとも一方の端部における内接円の大きさは、第１の棒状電極の他の部分の内接円の大きさよりも大きく、
第１の棒状電極の少なくとも一方の端部は、互いに対向する部分が切り欠かれた傾斜形状を持つことを特徴とする、質量分析装置。
【請求項２】
特定の質量電荷比m/zを持つイオン種のみを通過させる、少なくとも４本の第１の棒状電極を含む質量分析部と、
前記第１の棒状電極に印加する電圧を調整・制御する制御する制御部と、
第１の棒状電極を通過したイオンを検出する検出部と、を備えた、質量分析装置において、
第１の棒状電極の少なくとも一方の端部における内接円の大きさは、第１の棒状電極の他の部分の内接円の大きさよりも大きく、
第１の棒状電極の少なくとも一方の端部は、外側に折れ曲がった形状を持つことを特徴とする、質量分析装置。
【請求項３】
特定の質量電荷比m/zを持つイオン種のみを通過させる、少なくとも４本の第１の棒状電極を含む質量分析部と、
前記第１の棒状電極に印加する電圧を調整・制御する制御する制御部と、
第１の棒状電極を通過したイオンを検出する検出部と、を備えた、質量分析装置において、
第１の棒状電極の少なくとも一方の端部における内接円の大きさは、第１の棒状電極の他の部分の内接円の大きさよりも大きく、
第１の棒状電極の少なくとも一方の端部は、互いに対向する部分が切り欠かれ、丸みを持っていることを特徴とする、質量分析装置。
【請求項４】
請求項１に記載の質量分析装置において、
第１の棒状電極の少なくとも一方の端部は、可動式であることを特徴とする、質量分析装置。
【請求項５】
請求項１に記載の質量分析装置において、
第１の棒状電極の両端部における内接円の大きさは、第１の棒状電極の他の部分の内接円の大きさよりも大きいことを特徴とする、質量分析装置。
【請求項６】
請求項１において、
さらに、イオンを輸送する、イオンガイド部を備えることを特徴とする、質量分析装置。
【請求項７】
請求項６において、
イオンガイド部は、少なくとも２枚の板状電極を備えることを特徴とする、質量分析装置。
【請求項８】
請求項６において、
イオンガイド部は、少なくとも４本の第２の棒状電極を備えることを特徴とする、質量分析装置。
【請求項９】
請求項８において、
イオンガイド部を構成する第２の棒状電極に内接する内接円の大きさの方が、質量分析部を構成する第２の棒状電極に内接する内接円の大きさよりも大きいことを特徴とする、質量分析装置。
【請求項１０】
請求項８において、
イオンガイド部を構成する第２の棒状電極の少なくとも一方の端部における内接円の大きさは、第２の棒状電極の他の部分の内接円の大きさよりも大きいことを特徴とする、質量分析装置。
【請求項１１】
請求項１０において、
第２の棒状電極の少なくとも一方の端部は、互いに対向する部分が切り欠かれた傾斜形状を持つことを特徴とする、質量分析装置。
【請求項１２】
請求項１０において、
第２の棒状電極の少なくとも一方の端部は、外側に折れ曲がった形状を持つことを特徴とする、質量分析装置。
【請求項１３】
請求項１０において、
第２の棒状電極の少なくとも一方の端部は、互いに対向する部分が切り欠かれ、丸みを持っていることを特徴とする、質量分析装置。
【請求項１４】
請求項１０において、
第２の棒状電極の少なくとも一方の端部は、可動式であることを特徴とする、質量分析装置。
【請求項１５】
特定の質量電荷比m/zを持つイオン種のみを通過させる、少なくとも４本の第１の棒状電極を含む質量分析部と、
前記第１の棒状電極に印加する電圧を調整・制御する制御する制御部と、
第１の棒状電極を通過したイオンを検出する検出部と、
イオンを輸送する、イオンガイド部と、を備えた、質量分析装置において、
イオンガイド部は、少なくとも４本の第２の棒状電極または少なくとも２枚の板状電極を含んでおり、
イオンガイド部を構成する電極間の最短距離は、質量分析部を構成する電極間の最短距離よりも大きいことを特徴とする、質量分析装置。
【請求項１６】
特定の質量電荷比m/zを持つイオン種のみを通過させる、少なくとも４本の第１の棒状電極を含む質量分析部と、
前記第１の棒状電極に印加する電圧を調整・制御する制御する制御部と、
第１の棒状電極を通過したイオンを検出する検出部と、
イオンを輸送する、イオンガイド部と、を備えた、質量分析装置において、
イオンガイド部は、少なくとも４本の第２の棒状電極または少なくとも２枚の板状電極を含んでおり、
イオンガイド部を構成する電極に印加する高周波電圧の振幅値よりも、質量分析部を構成する電極に高周波電圧の振幅値の方が大きいことを特徴とする、質量分析装置。
【発明の詳細な説明】
【技術分野】
【０００１】
本発明は、四重極型質量分析計を用いた質量分析装置に係り、特に、生体内試料の分析用途の場合など、高い感度を必要とする質量分析装置に関するものである。
【背景技術】
【０００２】
従来、少なくとも４本の棒状電極から成り、前記棒状電極に直流電圧Uと高周波電圧Vqcos（Ωqt+ Φ0）とを印加された四重極型質量分析計を用いた質量分析装置では、特定の質量対電荷比 m／z を持つイオン種を質量選択・分離する質量分析部に試料からのイオンビームを入射させる際の、イオン損失の低下を目的に、質量分析部の前段に、質量分析部とは別に、少なくとも４本の棒状或いは板状電極から成り、高周波電圧Vicos(Ωit + Φ0)のみを印加された、イオン輸送部（イオンガイド部）が設置される場合が多い。【０００３】
そのとき、イオン輸送部の電極のうち、対向電極間の最短距離を直径とする内接円の半径をriとし、質量分析部の電極のうち、対向電極間の最短距離を直径とする内接円の半径をrqとする場合、ri＝rqとなるように配置され、また、電圧に関しては、Vi=Vq、Ωi=Ωqとなるように電圧印加されている。以降、対向電極間の最短距離を直径とする内接円のことを棒状電極間の内接円と称する。【０００４】
また、特許文献１に記載されているように、イオン輸送部の電極に対して、イオンがイオン輸送部を入射する位置での、棒状電極間の内接円の半径をri1とし、イオンがイオン輸送部を出射する位置での、棒状電極間の内接円の半径をri2とした場合、ri1＞ri2の関係が成り立つように、イオン輸送部電極が配置されていることが記載されている。
【先行技術文献】
【特許文献】
【０００５】
【特許文献１】特開2011-238616公報
【発明の概要】
【発明が解決しようとする課題】
【０００６】
質量選択・分離対象の質量対電荷比 m／zを走査して、質量対電荷比 m／z毎にイオン検出数（マススペクトル）を出力して、質量分析する装置において、特に試料に含まれる微量成分を質量分析する場合など、最終的にイオンがカウント検出されるまでの間にイオン軌道が不安定化によるイオン数の損失が低いことが要求される。従来は、図３に示すように、イオンガイド部の入り口、質量分析部の入り口にて、電位ポテンシャル分布として、ピーク状電位ポテンシャル障壁ができ、電界の歪みが発生して、イオン軌道が不安定化して、イオン損失が発生していた。【０００７】
イオン損失は、主に以下で発生することが、シミュレーションの結果明らかになった。【０００８】
イオン輸送部（イオンガイド）の入り口でのイオン損失
質量分析部(四重極質量分析部)の入り口でのイオン損失
イオン損失とは、イオン輸送部や質量分析部の内側を通過するはずのイオンの軌道が不安定になり、イオン輸送部や質量分析部の外側に排出されてしまい、最終的に検出されるイオン数（検出感度）が低下してしまうことを言う。このイオン損失の原因は、電位ポテンシャル分布において、図５に示すようにピーク状のポテンシャル障壁が発生し、イオン軌道が不安定化するためと考える。上記の課題を解決するためには、イオン輸送（イオンガイド）部の入り口、質量分析部の入り口に生成される、ピーク状電位ポテンシャル障壁による電界の歪みを軽減する必要が
ある。
【課題を解決するための手段】
【０００９】
本発明の質量分析装置は、特定の質量電荷比m/zを持つイオン種のみを通過させる、少なくとも４本の第１の棒状電極を含む質量分析部と、前記第１の棒状電極に印加する電圧を調整・制御する制御する制御部と、第１の棒状電極を通過したイオンを検出する検出部と、を備え、第１の棒状電極の少なくとも一方の端部における内接円の大きさは、第１の棒状電極の他の部分の内接円の大きさよりも大きい。【００１０】
例えば、本発明では、四重極質量分析装置において、前記の課題を解決するため、主に以下の（１）−（２）などの手段によって、イオン輸送部の入り口および質量分析部の入り口付近に生成される電位分布に対して、急激に増減する電位分布（ピーク状分布）を軽減させることにより、検出されるイオン数（検出感度）を向上させる装置である。【００１１】
（１）イオン輸送部（イオンガイド）の複数ある棒状電極の内接円の半径をriとし、質量分析部（四重極質量分析部）の複数ある棒状電極の内接円の半径をrqとした場合、ri＞rqの関係が成り立つように、イオンガイドおよび四重極質量分析部の電極を配置する。【００１２】
（２）質量分析部（四重極質量分析部）の複数ある棒状電極に対して、イオンが入射する入り口付近の電極形状を、イオン入射する方向とは逆向きに、内接円径が徐々に広がるような傾斜（テーパー）形状を持つ。
【発明の効果】
【００１３】
本発明は、質量分析部入り口付近にて、生成されていた電位ポテンシャルの急激な増減（ピーク状）分布、つまり、電極端部に生成される電界歪みが軽減されるため、質量分析部入り口付近のイオン透過率が大幅に向上し、高感度な質量分析が可能となる。
【図面の簡単な説明】
【００１４】
【図１】本発明のイオン輸送部および質量分析部の各電極配置、構造の概略図である。
【図２】本発明による質量分析データを計測する質量分析装置全体の概略図である。
【図３】四重極電場内におけるイオン安定透過領域図である。
【図４】イオンガイド、及び、質量分析部の、従来の電極配置・形状の場合に、生成される電位ポテンシャル分布とイオン不安定化損失累計数を、シミュレーションにより導出した結果をまとめた図である。
【図５】イオンが、イオン輸送部４本以上の棒状電極間を、入射する際に、安定に通過、或いは、不安定に出射する際の概念図である。
【図６】本発明の第一実施例による、イオンガイド、及び、質量分析部の電極配置・形状の場合に、生成される電位ポテンシャル分布とイオン不安定化損失累計数を、シミュレーションにより導出した結果をまとめた図である。
【図７】本発明の第一実施例における、質量分析部の電極入り口形状に対して、別の形態の電極形状を表す概念図である。
【図８】本発明の第二実施例による、イオン輸送部の各電極の入り口端部形状を表す概念図である。
【図９】本発明の第二実施例による、イオン輸送部の各電極の入り口及び出口の端部形状を表す概念図である。
【図１０】本発明の第三実施例による、イオン輸送部および質量分析部の各電極に印加する電圧制御方法の概略図である。
【図１１】本発明の第四実施例における、質量分析部の電極入り口端部の可動方式の概念図である。
【図１２】本発明の第四実施例における、質量分析部の電極入り口端部の可動方式の概念図である。
【発明を実施するための形態】
【００１５】
以下、図面を参照し、本発明の実施例について説明する。
【実施例１】
【００１６】
まず、第一の実施例について、図１〜７を用いて説明する。図１は第一実施例の特徴である、イオン輸送部（イオンガイド）および質量分析部（四重極質量分析部）を示す図であり、図２は、本実施例の質量分析装置の全体構成図である。まず、質量分析装置１１の分析フローを示す。【００１７】
質量分析対象の試料は、ガスクロマトグラフィー（ＧＣ）又は液体クロマトグラフィー（ＬＣ）などの前処理系１にて、時間的に分離・分画され、次々とイオン化部２にて、イオン化された試料イオンは、イオン輸送部３を通って、質量分析部４に入射され、質量分離される。ここで、ｍはイオン質量、zはイオンの帯電価数である。質量分析部４への電圧は、制御部８から制御されながら、ＤＣ電圧源9から印加される。分離されたイオンは、イオン検出部５で検出され、データ処理部6でデータ整理・処理され、その分析結果である質量分析データは表示部７にて表示される。この一連の質量分析過程−試料のイオン化、試料イオンビームの質量分析部３への輸送及び入射、質量分離過程、及び、イオン検出、データ処理、ユーザ入力部１０の指令処理の全体を制御部８で制御している。【００１８】
ここで、イオン輸送部３及び質量分析部４は、４本の棒状電極から成る四重極質量分析計としているが、４本以上の棒状電極から構成する多重極質量分析計としてもよい。また、図１に示すように、棒状電極の長手方向をz方向、断面方向をx，y平面とすると、棒状電極のx，y断面図にて示すように、４本の棒状電極は、円柱電極でも良く、また、点線で示したような双極面形状をした棒状電極でも良い。【００１９】
質量分析部４における４本の電極には、向かい合う電極を１組として、２組の電極13a,13bには、直流電圧と高周波電圧の重畳した電圧の逆位相の電圧、＋（U+VcosΩt）、−（U+VcosΩt）が印加され、４本の棒状電極間には、（１）式に示す、高周波電界Ex, Eyが生成される。【００２０】
【数１】
2015198721.tif 000003
【００２１】
イオン化された試料イオンは、この棒状電極間の中心軸(z方向)に沿って導入され、（１）式の高周波電界の中を通過する。このときのx, y方向のイオン軌道の安定性は棒状電極間でのイオンの運動方程式（Mathieu方程式）から導かれる次の無次元パラメータa、qによって決まる。【００２２】
【数２】
2015198721.tif 000004
【００２３】
【数３】
2015198721.tif 000005
【００２４】
ここで、価数z＝１としている。z≠1の場合は(２)、(３)式中の。r0は対向するロッド電極間の距離の半値、eは素電荷、mはイオン質量、U はロッド電極に印加する直流電圧、V、Ωは高周波電圧の振幅及び角周波数である。r0、U、V、Ωの値が決まると、各イオン種はその質量数mに応じて、図３のa−q平面上の異なる(a，q)点に対応する。このとき、（２）、（３）の式から、各イオン種の異なる(a，q)点は、（４）式の直線上に全て存在することになる。【００２５】
【数４】
2015198721.tif 000006
【００２６】
X， y両方向のイオン軌道に対し、安定解を与えるa、qの定量的範囲（安定透過領域）を図３に示す。ある特定の質量数Mを有するイオン種のみを棒状電極間に通過させ、その他のイオン種をQMSの外に不安定出射させて質量分離するためには、図３の安定透過領域の頂点付近と交わるようにU，V比を調整する必要がある（図３）。安定透過するイオンが振動しながら、棒状電極間をｚ方向に通過するのに対して、不安定化イオンは振動が発散して、ｘ、ｙ方向に出射する。（４）式の直線は質量走査線と呼ばれ、質量走査線の傾き（U／V比）を維持しながら、U、V値を順次走査することで、棒状電極間を安定透過して質量分離されるイオン種の質量数Mが走査される。【００２７】
【数５】
2015198721.tif 000007
【００２８】
【数６】
2015198721.tif 000008
【００２９】
このとき、（２）、（３）式を変形した(５)、(６)式から、通常は、イオン質量ｍに比例させて、U,V値を増加させて、イオン種の質量数Ｍが走査される。【００３０】
一方、イオン輸送部３（イオンガイド）では、４本の電極には、向かい合う電極を１組として、２組の電極14a, 14bには、各々逆位相の高周波電圧のみの電圧、＋VcosΩt、−VcosΩtが印加され、４本の棒状電極間には、（７）式に示す、高周波電界Ex， Eyが生成される。【００３１】
【数７】
2015198721.tif 000009
【００３２】
イオン輸送部には、直流電圧が印加されないため、U=0となり、（４）式から、イオン輸送部の場合の質量走査線は、（８）式となる。【００３３】
【数８】
2015198721.tif 000010
【００３４】
従って、図３に示すように、安定透過領域とa＝0の走査線の交わる領域に相当するすべてのイオン種が、理論上透過できるはずである。しかし、実際には、図４に示すように、イオン輸送部３（イオンガイド）の入り口には、急激なポテンシャルの増減（ピーク状）分布が生成され、それにより、イオンガイド入り口でイオンの一部が不安定化して、イオンガイドを通過しないため、イオン数が損失し、検出感度の低下を招く。イオンガイド部或いは質量分析部の電極入り口付近で、イオンの一部が不安定化する様子の概念図を図５に示した。【００３５】
本実施例では、図１に示すようにイオンガイド部の4本乃至はそれ以上の本数の電極の内接円の半径riが質量分析部の4本以上の棒状電極の内接円半径rqより大きくなるように、それぞれの電極を配置することを特徴とする。【００３６】
【数９】
2015198721.tif 000011
【００３７】
さらに、質量分析部の各棒状電極の入り口端部の形状が、図1に示すように、テーパー形状になっていることを特徴とする。このテーパー形状は、図１のy−z平面図に示すように、イオン入射する方向とは逆向きに、内接円径が徐々に広がるような傾斜（テーパー）形状を持つことを特徴とする。これにより、図６に示すように、イオンガイド及び質量分析部の入り口付近に生成される電位ポテンシャルの急激な増減（ピーク状）分布が軽減しており、それに伴い、イオンガイド及び質量分析部入り口付近でのイオン損失率が大幅に低下している、つまり、イオン透過率が大幅に向上していることをシミュレーションにより確認できた。従って、本実施例により、イオンガイド及び質量分析部の入り口付近に生成される電位ポテンシャルの急激な増減（ピーク状）分布が軽減し、イオン感度が向上することが期待できると考える。ここで、質量分析部の入り口における各電極形状は、テーパー形状の代わりに、図７のように、入り口側の方が広がるように、外側に向けて曲がったような電極形状でも良い。また、図１の場合でも、図７のような場合でも、テーパー形状の部分の長さla、及び、曲率を持っている部分の長さ（ｚ方向長さ）laは、質量分離精度を維持するため、電極の全体長さがl0とすると、l0/3以下が望ましい。【００３８】
【数１０】
2015198721.tif 000012
【実施例２】
【００３９】
次に、第二の実施例について、図８,９を用いて説明する。ここでは、図８に示すように、イオン輸送部（イオンガイド部）においても、入り口端部の電極断面形状が傾斜形状を持つような電極形状であることを特徴とする。本実施例によると、第一の実施例での、質量分析部の電極入り口付近の場合と同様に、イオン輸送部の入り口付近で、電位ポテンシャルの急激な増減（ピーク状）分布が軽減され、イオン軌道の不安定化が阻止され、安定透過する効果が期待できる。図９に示すように、イオン輸送部、質量分析部の電極において、入り口端部のみならず、出口端部に対しても、テーパー形状にすることで、出口部分の急激な電位分布の増減による電界の歪みが軽減されると考え、出口部分においてもイオン透過率向上の効果があると考える。
【実施例３】
【００４０】
次に、第三の実施例について、図１０を用いて説明する。ここでは、図１０に示すように、イオン輸送（イオンガイド）部の電極に印加する高周波電圧±Vicos（Ωit + Φ0)と、質量分析部の電極に印加する、直流電圧Uと高周波電圧Vqcos(Ωqt+ Φ0)の重畳電圧±（U+ Vqcos（Ωqt+ Φ0)）に対して、イオン輸送（イオンガイド）部３の電極に印加する高周波電圧の振幅値Viと、質量分析部の電極に印加する、高周波電圧Vqcos（Ωqt+ Φ0）の振幅値Vqとの間に、次の関係が成り立つように印加する。【００４１】
【数１１】
2015198721.tif 000013
【００４２】
イオン輸送部の電位分布の急激な増減を軽減するために、イオン輸送部の各電極の内接円半径riを、質量分析部の各電極の内接円半径rqより大きくするといった第一の実施例に比べ、本実施例では、イオン輸送部の各電極の内接円半径ri ＝rqの状態で、印加電圧の調整のみで、イオン輸送部の電位分布の急激な増減を軽減可能である。このとき、印加電圧で微調整が可能である分、イオン種毎にイオン透過率が異なる場合などに、イオン種毎の調整が可能となり、分析対象の質量対電荷比の広い範囲（マスレンジ）で、イオン感度の向上が期待できると考える。
【実施例４】
【００４３】
次に、第四の実施例について、図11，12を用いて説明する。ここでは、図11,12に示すように、質量分析部の各電極の入り口端部におけるテーパー形状、或いは、折れ曲がり形状部分が可動式であることを特徴とする。つまり、各電極の入り口端部におけるテーパー形状、或いは、折れ曲がり形状部分の角度を微調整できることから、イオン種毎にイオン透過率が異なる場合などに、イオン種毎の調整が可能となり、分析対象の質量対電荷比の広い範囲（マスレンジ）で、イオン感度の向上が期待できると考える。また、イオン輸送（イオンガイド）部への近接距離も調整可能となるため、イオン輸送部―質量分析部の間でのイオン損失がさらに抑制される可能性があると考える。
【符号の説明】
【００４４】
１  前処理系
２  イオン化部
３  イオン輸送部
４  質量分析部
５  イオン検出部
６  データ処理部
７  表示部
８  制御部
９  DC電圧源
10  ユーザ入力部
11  質量分析装置
12  AC電圧源
13a，b，c，d  電極
14a，b，c，d  電極
【図１】
2015198721.tif 000014
【図２】
2015198721.tif 000015
【図３】
2015198721.tif 000016
【図４】
2015198721.tif 000017
【図５】
2015198721.tif 000018
【図６】
2015198721.tif 000019
【図７】
2015198721.tif 000020
【図８】
2015198721.tif 000021
【図９】
2015198721.tif 000022
【図１０】
2015198721.tif 000023
【図１１】
2015198721.tif 000024
【図１２】
2015198721.tif 000025
【国際調査報告】
2015198721.tif 000026
2015198721.tif 000027
2015198721.tif 000028
2015198721.tif 000029